(57)【要約】【課題】戸締まりが完了していないことを高い確率で外出しようとする人に気付かせることができる報知システムを提供する。【解決手段】報知システムは、建物が戸締まりされているか否かを判断する戸締判断部（ＣＰＵ２１）と、建物から人が外出することを検出する外出検出部１３と、建物が戸締まりされていないと戸締判断部が判断し、且つ建物から人が外出することを外出検出部１３が検出した場合、人が外出する際に通過する戸を施錠することを抑止する戸施錠抑止部１４とを備える。【選択図】図１
2009237802.tif 000002
【特許請求の範囲】
【請求項１】
建物が戸締まりされているか否かを判断する戸締判断部と、
前記建物から人が外出することを検出する外出検出部と、
前記建物が戸締まりされていないと前記戸締判断部が判断し、且つ前記建物から人が外出することを前記外出検出部が検出した場合、前記人が外出する際に通過する戸を施錠することを抑止する戸施錠抑止部と
を備えることを特徴とする報知システム。
【請求項２】
前記戸施錠抑止部は、前記建物が戸締まりされていないと前記戸締判断部が判断し、且つ前記建物から人が外出することを前記外出検出部が検出した場合、前記人が外出する際に通過する戸の鍵穴を遮蔽する鍵穴遮蔽部を備えることを特徴とする請求項１記載の報知システム。
【発明の詳細な説明】
【技術分野】
【０００１】
本発明は、外出しようとしている人に対して建物の戸締まりの状態を報知する報知システムに関する。
【背景技術】
【０００２】
従来、住戸インターホン装置には、インターホンのみならず外出する際に窓やドアの戸締まりの警戒設定を確認することができる防犯機能付のものがある（特許文献１参照）。特許文献１の防犯機能付インターホン装置では、確認ランプ（ＬＥＤ）などを戸外（ドアホン子機）に設置し、外出の際にそのランプの点灯或いは点滅によって警戒設定の完了、未完了を表示して、ユーザに目で確認させている。
【特許文献１】特開平１０−３０７９７６号公報
【発明の開示】
【発明が解決しようとする課題】
【０００３】
しかし、戸締まり未完了状態などの警戒設定の未完了をＬＥＤ表示などで住居者（家人）に報知する方法は、光による報知であって、家人がこれを見落としてしまうと戸締まり未完了状態を気付かせることができず、高い確率で家人に報知できる手段とは言えない。
【０００４】
本発明は、上記問題点に鑑みて成されたものであり、その目的は、戸締まりが完了していないことを高い確率で外出しようとする人に気付かせることができる報知システムを提供することである。
【課題を解決するための手段】
【０００５】
本発明の特徴は、建物が戸締まりされているか否かを判断する戸締判断部と、建物から人が外出することを検出する外出検出部と、建物が戸締まりされていないと戸締判断部が判断し、且つ建物から人が外出することを外出検出部が検出した場合、人が外出する際に通過する戸を施錠することを抑止する戸施錠抑止部とを備える報知システムであることを要旨とする。
【０００６】
本発明の特徴によれば、外出時に戸締まりが完了していなければ、人が外出する際に通過する戸（玄関を含む）を施錠する行為（＝外出時に行う行為）が抑制されるので、戸締まりが完了していないことを高い確率で外出しようとする人に気付かせることができる。
【０００７】
本発明の特徴において、戸施錠抑止部は、建物が戸締まりされていないと戸締判断部が判断し、且つ建物から人が外出することを外出検出部が検出した場合、人が外出する際に通過する戸の鍵穴を遮蔽する鍵穴遮蔽部を備えていてもよい。
【０００８】
これにより、外出時に戸締まりが完了していなければ、人が外出する際に通過する戸の鍵穴が遮蔽されるので、人が外出する際に通過する戸を施錠する行為を抑制され、戸締まりが完了していないことを高い確率で人に気付かせることができる。
【発明の効果】
【０００９】
本発明の報知システムによれば、戸締まりが完了していないことを高い確率で外出しようとする人に気付かせることができる。
【発明を実施するための最良の形態】
【００１０】
以下図面を参照して、本発明の実施形態を説明する。図面の記載において同一部分には同一符号を付して説明を省略する。
【００１１】
先ず、図１を参照して、本発明の実施の形態に係わる報知システムの概略構成について説明する。本発明の実施の形態に係わる報知システムは、外出しようとしている人に対して建物の戸締まりの状態を報知するシステムである。ここで、建物の戸締まりの状態には、建物の開口部に設置された扉や戸の施錠状態が含まれ、建物の開口部には、建物の中に侵入する時に侵入口となる可能性のある建物の開口部（出入り口や窓、排気／吸気口などを含む）や、建物の敷地内で侵入時の経路上に設置された障害物（塀や囲い）の開口部（門、勝手口などを含む）が含まれる。また、建物には、住宅、倉庫、オフィスビルなどを含まれるが、実施の形態では、住宅を例に取り、説明する。
【００１２】
また、報知システムは、住宅を含む建物の戸締まり状態を報知するのみならず、建物に備えられたガス機器やエアコンなどを含むライフライン（例えば、電気、ガス、水道などの設備）の安全状態を報知する機能を備えていてもよい。この場合、例えば、電気、ガス、水道の安全状態を検出する各種センサを建物の所定の場所に設置し、制御部が、これらのセンサによる検出結果に基づいてライフラインの安全状態を判断すればよい。
【００１３】
図１に示すように、報知システムは、システム全体を制御する制御部１１と、住宅の開口部に設置された扉や戸の施錠状態及び防犯や防災を目的とする他の警戒システムのモード設定状態を検出する施錠状態検出部１２と、住宅から人が外出することを検出する外出検出部１３と、人が外出する際に通過する戸を施錠することを抑止する戸施錠抑止部１４と、報知システムを利用する人（ユーザ）からのコマンドの入力を受け付ける操作部１５と、外出しようとしている人に対して住宅の戸締まりの状態を視覚的に報知する表示部１７と、システム外部との間で通信を行うための通信部１８とを備える。
【００１４】
制御部１１は、ＣＰＵ２１（Central Processing Unit）、作業用のデータ格納領域を提供するＲＡＭ２２（Random Access Memory）、ＲＯＭ２３（Read Only Memory）、記憶部２４及び配線路２５を有している。ＲＯＭ２３は報知システム全体を制御するためのシステムプログラムデータの他、制御部１１が実行可能なプログラムデータを格納する。ＣＰＵ２１は、報知システムの電源がオンされると、ＲＯＭ２３からシステムプログラムデータを読み出してシステムを起動させ、報知システム全体を制御する。配線路２５は、ＲＯＭ２３、ＣＰＵ２１、ＲＡＭ２２及び記憶部２４に接続され、各種の制御信号及びデータ信号の送信路を形成する。
【００１５】
配線路２５には、施錠状態検出部１２が接続されている。施錠状態検出部１２は、住宅の窓や出入り口に設置された扉や戸各々の施錠状態を検出するため、扉や戸毎に設置された施錠センサ３１ａ、３１ｂ、・・・を備える。施錠センサ３１ａ、３１ｂ、・・・各々は、設置された扉や戸の施錠状態を検出する。施錠センサ３１ａ、３１ｂ、・・・の検出結果は、検出結果信号として配線路２５を介して制御部１１に転送される。
【００１６】
防犯や防災を目的とする他の警戒システムが住宅に既に設置されている場合、他の警戒システムの動作モードや制御モードが、家人の外出時に適したモードに設定されていることが望ましい。当該他の警戒システムのモードが適切に設定されていることは、住宅が備える窓や戸が施錠されていることと同様に、外出時の家人にとって防犯及び防災のための重要な確認事項となる。そこで、施錠状態検出部１２は、他の警戒システムが家人の外出時に適切な動作モード又は制御モードに設定されているか否かを検出する警戒モード検出センサ３７を更に備える。なお、家人の外出時に適切な動作モード又は制御モードは、予め設定されている。警戒モード検出センサ３７の検出結果は、検出結果信号として配線路２５を介して制御部１１に転送される。
【００１７】
ＣＰＵ２１は、施錠センサ３１ａ、３１ｂ、・・・及び警戒モード検出センサ３７からの検出結果信号に基づいて、住宅が戸締まりされているか否かを判断する機能（戸締判断部）を備える。具体的には、総ての施錠センサ３１ａ、３１ｂ、・・・が扉や戸が施錠されていることを検出した場合、及び他の警戒システムが家人の外出時に適切な動作モード又は制御モードに設定されていることを警戒モード検出センサ３７が検出した場合、ＣＰＵ２１は、住宅が戸締まりされている、つまり戸締まり完了状態であると判断する。
【００１８】
配線路２５には、外出検出部１３が接続されている。外出検出部１３は、住宅の開口部のうち人が外出する際に通常通過する出入り口（例えば玄関）に備えられた戸（例えば玄関扉）が開くことを検出する玄関開センサ３２と、戸内の玄関扉周辺に人が居ることを検出する戸内側人感センサ３３と、戸外の玄関扉周辺に人が居ることを検出する戸外側人感センサ３４とを備える。戸内側の玄関扉周辺に人が居ることを戸内側人感センサ３３が検出し、玄関扉が開いたことを玄関開センサ３２が検出し、その後、戸外側の玄関扉周辺に人が居ることを戸外側人感センサ３４が検出すれば、人が玄関扉を開けて戸内から戸外へ移動したことになるので、外出検出部１３は、住宅から人が外出すると判断する。
【００１９】
配線路２５には、戸施錠抑止部１４が接続されている。戸施錠抑止部１４は、人が外出する際に通過する戸（玄関扉）の鍵穴を遮蔽する鍵穴遮蔽部３５を備える。玄関扉に設けられた錠がシリンダー錠など鍵を錠前の鍵穴に差し込んで施錠／解錠を行うタイプである場合、鍵穴遮蔽部３５は、鍵穴を遮蔽して鍵を差し込めなくする。これにより、人が外出する際に通過する戸（玄関扉）を施錠及び解錠することを抑止することができる。
【００２０】
戸施錠抑止部１４は、更に、或いは鍵穴遮蔽部３５の代わりに、錠前の回転を防止する錠前回転防止部３６を備えていても構わない。鍵を錠前の鍵穴に差し込むことができたとしても、錠前の回転が防止されれば、やはり戸（玄関扉）を施錠及び解錠することを抑止することができる。なお、錠前回転防止部３６は、玄関扉を施錠する方向の回転のみを防止し、玄関扉を解錠する方向の回転は許可しても構わない。
【００２１】
配線路２５には、操作部１５が接続されている。操作部１５には、報知システムの電源スイッチや操作パネルなどを設けられ、電源のオン／オフ制御や、各種の動作モードや制御モードの選択を行うことができる。
【００２２】
配線路２５には、表示部１７が接続されている。表示部１７は、外出しようとしている人に対して住宅の戸締まりの状態を視覚的に報知する為に、例えば、人が外出する際に通過する戸（玄関扉）の戸外側の表面、戸外側のドアノブの表面、或いは戸外側の玄関扉周面の壁面など、外出しようとしている人が視認しやすい場所に設置されている。ドアノブの表面に設置する場合、発光ダイオード（ＬＥＤ）を使用して点灯と消灯によって戸締まり状態を識別可能に表示すればよい。また、玄関扉の戸外側の表面や玄関扉周面の壁面に設置する場合、液晶ディスプレイ、ビデオプロジェクタなどを使用すれば、戸締まり状態について更に詳細な情報を提示することができる。
【００２３】
配線路２５には、通信部１８が接続されている。通信部１８は、ＬＡＮ（Local Area Network）などの通信回線に接続され、外部のコンピュータやルータ、電話回線、インターネットなどに接続することができる。
【００２４】
なお、報知システムが現在時刻を計時する時計を備えていてもよい。この場合、施錠状態検出部１２、外出検出部１３、戸施錠抑止部１４の出力データは、履歴データとして、記憶部２４に記録することができる。或いは、通信部１８を介して外部のデータベースなどに送信して記録させることができる。
【００２５】
図２（ａ）及び図２（ｂ）を参照して、人が外出する際に通過する戸（玄関扉）の周辺における報知システムの配置例を説明する。玄関扉４２は、蝶番で止められた部分を軸に弧を描いて開閉し、ドアノブ４３などを持って戸外Ｏｕｔへ開けることができる外開き扉である。蝶番で止められた端と反対側の端にはシリンダー錠４１が備えられ、戸外Ｏｕｔ及び戸内Ｉｎの両側から施錠／解錠を行うことができる。シリンダー錠４１の戸外Ｏｕｔ側には鍵を差し込むための鍵穴が設けられている。
【００２６】
ドアノブ４３にはＬＥＤ１７が埋め込まれている。シリンダー錠４１が設置されている端に面するドア枠部分には、玄関扉の開閉を検知する玄関開センサ３２が設置されている。また、戸内Ｉｎの玄関扉周辺を検出領域ＳＡ3とする戸内側人感センサ３３と、戸外Ｏｕｔの玄関扉周辺を検出領域ＳＡ4とする戸外側人感センサ３４とが設置されている。
【００２７】
ドア枠の内部又は玄関扉周辺の壁内部に戸施錠抑止部１４が埋め込まれ、戸内Ｉｎには制御部１１が備えられている。なお、図示は省略するが、シリンダー錠４１は戸施錠抑止部１４に接続され、戸施錠抑止部１４、ＬＥＤ１７、玄関開センサ３２、戸内側人感センサ３３及び戸外側人感センサ３４は、制御部１１に接続されている。また、住宅の扉や戸毎に設置された施錠センサ３１ａ、３１ｂ、・・・及び警戒モード検出センサ３７は、玄関扉周辺の制御部１１に接続されている。
【００２８】
なお、図２に示した報知システムの配置及び接続方法は一例であり、報知システムは図１の機能的な構成を実現するための他の配置及び接続方法であっても構わない。
（第１の動作例）
次に、図１及び図２に示した報知システムが、外出しようとしている人に対して住宅の戸締まりの状態を報知する動作手順の一例（第１の動作例）を説明する。第１の動作例では、住宅が戸締まりされていないとＣＰＵ２１（戸締判断部）が判断している状態において、住宅から人が外出することを外出検出部１３が検出した場合に、人が外出する際に通過する戸を施錠することを戸施錠抑止部１４が抑止する。具体的には、以下の通りである。
【００２９】
（イ）ユーザ操作により報知システムの電源がオンされると、ＣＰＵ２１は、ＲＯＭ２３からシステムプログラムデータを読み出してシステムを起動させ、報知システム全体の制御状態に入る。図３のフローチャートは、この状態からスタートする。
【００３０】
（ロ）先ず、Ｓ０１段階において、施錠センサ３１ａ、３１ｂ、・・・各々が、設置された扉や戸の施錠状態を検出し、警戒モード検出センサ３７が他の警戒システムのモード設定状態を検出し、それらの検出結果信号が制御部１１に転送される。ＣＰＵ２１（戸締判断部）は、これらの検出結果信号に基づいて、住宅が戸締まりされているか否かを判断する。住宅が戸締まりされている場合（＝戸締まり完了状態：Ｓ０１でＹＥＳ）Ｓ０３に進む。
【００３１】
（ハ）Ｓ０３段階において、ＣＰＵ２１は内部において所定のフラグを立てる。その後、Ｓ０５段階に進み、外出検出部１３が住宅から人が外出することを検出しているか否かを判断する。外出検出部１３が外出を検出している場合（Ｓ０５段階でＹＥＳ）Ｓ０７段階に進み、戸施錠抑止部１４は、人が外出する際に通過する戸（玄関扉）を施錠及び解錠することを抑止しない、つまり、外出しようとする人に対して玄関扉の施錠及び解錠を許可して、図３のフローチャートは終了する。一方、外出検出部１３が外出を検出していない場合（Ｓ０５段階でＮＯ）Ｓ０１段階に戻る。
【００３２】
（ニ）一方、住宅が戸締まりされていない場合（＝戸締まり未完了状態：Ｓ０１でＮＯ）Ｓ０９段階に進み、ＣＰＵ２１は内部において所定のフラグを立てない。その後、Ｓ１１段階に進み、Ｓ０５段階と同様にして、外出検出部１３が住宅から人が外出することを検出しているか否かを判断する。外出検出部１３が外出を検出している場合（Ｓ１１段階でＹＥＳ）Ｓ１３段階に進み、戸施錠抑止部１４は、人が外出する際に通過する戸（玄関扉）を施錠及び解錠することを抑止する。施錠及び解錠の抑止は、鍵穴の遮蔽、又は錠前の回転防止、或いはその両方であっても構わない。その後、Ｓ１５段階に進み、住宅が戸締まりされていないことを表示部１７に表示して、Ｓ０１段階に戻る。一方、外出検出部１３が外出を検出していない場合（Ｓ１１段階でＮＯ）Ｓ０１段階に戻る。
【００３３】
このように、第１の動作例では、先ず、住宅が戸締まりされているか否かを判断し（Ｓ０１）、その後、住宅から人が外出するか否かを判断する（Ｓ０５、Ｓ１１）。住宅が戸締まりされている場合に限りフラグを立てることにより、住宅から人が外出することを検出した際に、フラグが立っていれば玄関扉４２の施錠及び解錠を許可し、フラグが立っていなければ玄関扉４２の施錠及び解錠を抑止することができる。住宅から人が外出することを検出しなければ、Ｓ０１〜Ｓ０５又はＳ０１〜Ｓ１１が実施されているので、フラグの状態、つまり住宅の戸締まり状態をリアルタイムにモニターすることができる。よって、人の外出の検出（Ｓ０５、Ｓ１１でＹＥＳ）から施錠及び解錠の許可／抑止（Ｓ０７、Ｓ１３）までの処理時間が短くなるので、施錠を抑止する処理（Ｓ１３）を実行する前に、外出しようとする人によって玄関扉が施錠されてしまうことを抑制することができる。
【００３４】
以上説明したように、本発明の実施の形態によれば、以下の作用効果が得られる。
【００３５】
住宅が戸締まりされていないとＣＰＵ２１（戸締判断部）が判断し（Ｓ０１でＹＥＳ）、且つ建物から人が外出することを外出検出部１３が検出した場合（Ｓ１１でＹＥＳ）、人が外出する際に通過する戸を施錠することを戸施錠抑止部１４が抑止する（Ｓ１３）。これにより、外出時に戸締まりが完了していなければ、人が外出する際に通過する戸を施錠する行為（＝外出時に行う行為）が抑制されるので、戸締まりが完了していないことを高い確率で外出しようとする人に気付かせることができる。
【００３６】
また、Ｓ１３段階において、人が外出する際に通過する戸の鍵穴を鍵穴遮蔽部３５が遮蔽してもよい。これにより、外出時に戸締まりが完了していなければ、人が外出する際に通過する戸の鍵穴が遮蔽されるので、人が外出する際に通過する戸を施錠する行為を抑制され、戸締まりが完了していないことを高い確率で人に気付かせることができる。
（第２の動作例）
次に、図１及び図２に示した報知システムが、外出しようとしている人に対して住宅の戸締まりの状態を報知する動作手順の一例（第２の動作例）を説明する。第２の動作例では、先ず、住宅から人が外出するか否かを判断し、外出を検知した場合に、その後、住宅が戸締まりされているか否かを判断する。
【００３７】
（Ａ）ユーザ操作により報知システムの電源がオンされると、ＣＰＵ２１は、ＲＯＭ２３からシステムプログラムデータを読み出してシステムを起動させ、報知システム全体の制御状態に入る。図４のフローチャートは、この状態からスタートする。
【００３８】
（Ｂ）先ず、Ｓ３１段階において、外出検出部１３が住宅から人が外出することを監視する。外出検出部１３が外出を検出した場合（Ｓ３１段階でＹＥＳ）Ｓ３３段階に進み、外出を検出するまでＳ３１段階は繰り返し実施される。
【００３９】
（Ｃ）Ｓ３３段階において、施錠センサ３１ａ、３１ｂ、・・・各々が、設置された扉や戸の施錠状態を検出し、警戒モード検出センサ３７が他の警戒システムのモード設定状態を検出し、それらの検出結果信号が制御部１１に転送される。ＣＰＵ２１（戸締判断部）は、これらの検出結果信号に基づいて、住宅が戸締まりされているか否かを判断する。住宅が戸締まりされている場合（＝戸締まり完了状態：Ｓ３３でＹＥＳ）Ｓ３５段階に進む。
【００４０】
（Ｄ）Ｓ３５段階において、戸施錠抑止部１４は、人が外出する際に通過する戸（玄関扉）を施錠及び解錠することを抑止しない、つまり、外出しようとする人に対して玄関扉の施錠及び解錠を許可して、図４のフローチャートは終了する。
【００４１】
（Ｅ）一方、住宅が戸締まりされていない場合（＝戸締まり未完了状態：Ｓ３３でＮＯ）Ｓ３７段階に進み、戸施錠抑止部１４は、人が外出する際に通過する戸（玄関扉）を施錠及び解錠することを抑止する。施錠及び解錠の抑止は、鍵穴の遮蔽、又は錠前の回転防止、或いはその両方であっても構わない。その後、Ｓ３９段階に進み、住宅が戸締まりされていないことを表示部１７に表示して、Ｓ３１段階に戻る。
【００４２】
このように、第２の動作例では、先ず、人の外出の有無を監視し（Ｓ３１）、人の外出を検出した場合に、住宅の戸締まり状態を判断する。よって、フラグ処理などを伴う第１の動作例に比べて、報知システム全体を制御するシステムプログラムの構成を簡略化することができる。
【００４３】
上記のように、本発明は、１つの実施形態及び２つの動作例によって記載したが、この開示の一部をなす論述及び図面はこの発明を限定するものであると理解すべきではない。この開示から当業者には様々な代替実施の形態、実施例及び運用技術が明らかとなろう。
【００４４】
例えば、報知システムが現在時刻を計時する計時部を備えていてもよい。この場合、施錠センサ３１ａ、３１ｂ、・・・及び警戒モード検出センサ３７の検出結果や、玄関開センサ３２、戸内側人感センサ３３、戸外側人感センサ３４の検出結果、戸施錠抑止部１４の動作内容、表示部１７への表示内容、操作部１５の操作内容などを、その検出、動作、表示及び操作が行われた時刻と共に、記憶部２４又は遠隔に設置されたサーバなどに記憶して、報知システムの履歴データを残すようにしてもよい。これにより、例えば、留守時の侵入者に関する情報を収集することができるので、防犯効果を高めることができる。
【００４５】
また、戸内側人感センサ３３及び戸外側人感センサ３４として、カラー又はモノクロの可視光のイメージを検出するカメラを使用してもよい。この場合、カメラの検出結果（映像）を記憶部２４又は遠隔に設置されたサーバなどに記憶しておくことによっても、留守時の侵入者に関する情報を収集することができるので、防犯効果を高めることができる。
【００４６】
また、報知システムは、住宅を含む建物の戸締まり状態を報知するのみならず、建物に備えられたガス機器やエアコンを含むライフライン（例えば、電気、ガス、水道などの設備）の安全状態を報知する機能を備えていてもよい。この場合、例えば、施錠状態検出部１２の他に、電気、ガス、水道の安全状態を検出する各種センサを建物の所定の場所に設置し、制御部１１が、これらのセンサによる検出結果に基づいてライフラインの安全状態を判断すればよい。
【００４７】
また、報知システムは、通信部１８を介して、ユーザの携帯端末から建物の戸締まり状態の問い合わせを受け付ける機能、侵入者を検知した時などの異常時にユーザの携帯端末にメールを配信する機能などを備えていてもよい。
【００４８】
また、実施の形態では、人が外出する際に通過する戸に設置されている錠がシリンダー錠４１である場合について説明したが、もちろん暗証番号や非接触式のＩＣカードなどによって施錠及び解錠を行うことができる電気錠であっても構わない。この場合、テンキー部やＩＣカードのセンサ部（カードリーダ）などを玄関扉４２或いはドア枠周辺の壁に内蔵させ、テンキー部やＩＣカードのセンサ部を遮蔽する、或いはテンキーの押下げ操作やＩＣカードからの電波を受け付けないなどの方法によって施錠を抑止すればよい。
【００４９】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００５０】
【図１】本発明の実施の形態に係わる報知システムの構成の概略を示すブロック図である。
【図２】図２（ａ）は人が外出する際に通過する戸（玄関扉）の周辺における報知システムの配置例を示す上面図であり、図２（ｂ）は人が外出する際に通過する戸（玄関扉）を戸外Ｏｕｔ側から見た正面図である。
【図３】図１及び図２に示した報知システムが、外出しようとしている人に対して住宅の戸締まりの状態を報知する動作手順の一例（第１の動作例）を示すフローチャートである。
【図４】図１及び図２に示した報知システムが、外出しようとしている人に対して住宅の戸締まりの状態を報知する動作手順の他の例（第２の動作例）を示すフローチャートである。
【符号の説明】
【００５１】
１１…制御部
１２…施錠状態検出部
１３…外出検出部
１４…戸施錠抑止部
１５…操作部
１７…表示部（ＬＥＤ）
１８…通信部
２１…ＣＰＵ
２２…ＲＡＭ
２３…ＲＯＭ
２４…記憶部
２５…配線路
３１ａ、３１ｂ、３１ｃ、・・・…施錠センサ
３２…玄関開センサ
３３…戸内側人感センサ
３４…戸外側人感センサ
３５…鍵穴遮蔽部
３６…錠前回転防止部
３７…警戒モード検出センサ
４１…シリンダー錠
４２…玄関扉
４３…ドアノブ
Ｉｎ…戸内
Ｏｕｔ…戸外
【図１】
2009237802.tif 000003
【図２】
2009237802.tif 000004
【図３】
2009237802.tif 000005
【図４】
2009237802.tif 000006